(57)【要約】【課題】携帯電話機を利用して修学旅行の生徒を案内・監視することが可能な旅行管理システムを提供する。【解決手段】携帯電話機１は、複数の目的地の名称とこれらに対応付けられた複数の有効時期とを含む掲載情報データをサーバ４からダウンロードする。携帯電話機１は、掲載情報データを検索し、有効時期が現在と一致する目的地の名称を抽出して表示する。時間の経過に伴って表示画面は変化する。生徒が目的地に到着し、その名称をクリックすると、設問及び写真撮影の指示が表示され、さらにカメラが起動される。生徒が写真３を撮影して回答２を入力すると、回答２に写真３を添付して電子メールでサーバ４に送信され、さらに先生及び父兄の携帯電話機５，６に転送される。【選択図】図１
2005309554.tif 000002
【特許請求の範囲】
【請求項１】
サーバと前記サーバに接続可能なカメラ付き携帯情報端末とを備えた旅行管理システムであって、
前記サーバは、
目的地を示す複数の目的地コンテンツと前記複数の目的地コンテンツに対応付けられた複数の有効時期とを含む掲載情報データを記憶する記憶手段を含み、
前記携帯情報端末は、
前記サーバから前記掲載情報データをダウンロードしてメモリに格納する手段と、
前記メモリに格納された掲載情報データを検索し、前記有効時期が現在と一致する目的地コンテンツを抽出する手段と、
前記抽出された目的地コンテンツをディスプレイに表示させる手段と、
前記ディスプレイに表示された目的地コンテンツを選択する手段と、
前記目的地コンテンツが選択された後、前記カメラを起動させる手段と、
前記カメラで撮影された画像を前記サーバに送信する手段とを含むことを特徴とする旅行管理システム。
【請求項２】
目的地を示す複数の目的地コンテンツと前記複数の目的地コンテンツに対応付けられた複数の有効時期とを含む掲載情報データを格納するメモリと、
前記メモリに格納された掲載情報データを検索し、前記有効時期が現在と一致する目的地コンテンツを抽出する手段と、
前記抽出された目的地コンテンツをディスプレイに表示させる手段とを備えたことを特徴とする携帯情報端末。
【請求項３】
請求項２に記載の携帯情報端末であってさらに、
カメラと、
前記ディスプレイに表示された目的地コンテンツを選択する手段と、
前記目的地コンテンツが選択された後、前記カメラを起動させる手段と、
前記カメラで撮影された画像を送信する送信手段とを備えたことを特徴とする携帯情報端末。
【請求項４】
請求項３に記載の携帯情報端末であって、
前記掲載情報データはさらに、前記複数の目的地コンテンツに対応付けられ、設問を示す複数の設問コンテンツを含み、
前記携帯情報端末はさらに、
前記選択された目的地コンテンツに対応付けられた設問コンテンツをディスプレイに表示させる手段と、
前記ディスプレイに設問コンテンツが表示された後、入力操作に応じて回答データを生成する手段とを備え、
前記送信手段は前記生成された回答データを前記画像とともに送信することを特徴とする携帯情報端末。
【請求項５】
請求項３又は請求項４に記載の携帯情報端末であって、
前記掲載情報データはさらに、前記複数の目的地コンテンツに対応付けられ、各々が第１又は第２の状態を取り得る複数の状態情報を含み、
前記携帯情報端末はさらに、
前記送信手段により画像が送信された後、前記状態情報を第１の状態から第２の状態に切り替える手段を備えたことを特徴とする携帯情報端末。
【請求項６】
請求項２に記載の携帯情報端末であってさらに、
前記掲載情報データをサーバからダウンロードして前記メモリに格納する手段を備えたことを特徴とする携帯情報端末。
【請求項７】
コンピュータを請求項２〜請求項６のいずれか１項に記載の手段として機能させるための旅行管理プログラム。
【発明の詳細な説明】
【技術分野】
【０００１】
本発明は、旅行管理システム及びそれに用いられる携帯情報端末に関し、さらに詳しくは、修学旅行の生徒を案内・監視する旅行管理システム及びそれに用いられる携帯情報端末に関する。
【背景技術】
【０００２】
最近の修学旅行では、生徒を数人のグループに分け、グループ単位で観光させる方式が主流になってきている。この方式の場合、観光の順序及び目的地はグループごとに異なっている。各グループはスケジュール表に従って順番に目的地を訪問し、先生はこれを監視する必要がある。従来は各グループに１つずつ貸与した携帯電話機で適時連絡を取り合うことにより監視を実現していた。
【０００３】
しかし、この監視は基本的に生徒の自己申告に依存しており、決して万全なものではなかった。そのため、先生が生徒の安全をきめ細かく管理する必要があり、先生の負担は非常に大きかった。その一方で、過度な監視は生徒に圧迫感を与え、旅行を通じた体験学習という修学旅行本来の意義を失わせてしまいかねない。
【０００４】
下記の特許文献１には、持ち運び自在な携帯端末システムを用いたスケジュール管理システムが開示されている。このシステムはユーザ自身がどこへ行ってどんな仕事を実行すべきであるのかを一目で把握可能にするものであって、旅行者を案内・監視するためのものではない。
【０００５】
【特許文献１】特開２０００−２９９４５号公報
【０００６】
［先行出願１］特願２００３−３４０１１９号（２００３年９月３０日出願）
【発明の開示】
【発明が解決しようとする課題】
【０００７】
本発明の目的は、携帯情報端末を利用して旅行者を案内することが可能な旅行管理システム及びそれに用いられる携帯情報端末を提供することである。
【０００８】
本発明のもう１つの目的は、携帯情報端末を利用して旅行者を監視することが可能な旅行管理システム及びそれに用いられる携帯情報端末を提供することである。
【課題を解決するための手段及び発明の効果】
【０００９】
本発明による旅行管理システムは、サーバとサーバに接続可能なカメラ付き携帯情報端末とを備える。サーバは、目的地を示す複数の目的地コンテンツと複数の目的地コンテンツに対応付けられた複数の有効時期とを含む掲載情報データを記憶する記憶手段を含む。携帯情報端末は、サーバから掲載情報データをダウンロードしてメモリに格納する手段と、メモリに格納された掲載情報データを検索し、有効時期が現在と一致する目的地コンテンツを抽出する手段と、抽出された目的地コンテンツをディスプレイに表示させる手段と、ディスプレイに表示された目的地コンテンツを選択する手段と、目的地コンテンツが選択された後、カメラを起動させる手段と、カメラで撮影された画像をサーバに送信する手段とを含む。
【００１０】
この旅行管理システムにおいては、携帯情報端末が掲載情報データを検索し、有効時期が現在と一致する目的地コンテンツを抽出し、ディスプレイに表示させる。したがって、時間の経過に伴ってディスプレイに表示される目的地コンテンツが変化する。その結果、携帯情報端末を利用して旅行者を案内することができる。しかも、１回にダウンロードされる掲載情報データには有効時期付きの目的地コンテンツが複数含まれるので、携帯情報端末はサーバと通信することなく表示内容を変化させることができる。
【００１１】
また、ディスプレイに表示された目的地コンテンツが選択されると、その選択動作に起因してカメラが起動され、旅行者に写真撮影が促される。これに応じて旅行者が写真撮影をすると、その画像はサーバに送信される。その結果、携帯情報端末を利用して旅行者を監視することができる。
【００１２】
本発明による携帯情報端末は、目的地を示す複数の目的地コンテンツと複数の目的地コンテンツに対応付けられた複数の有効時期とを含む掲載情報データを格納するメモリと、メモリに格納された掲載情報データを検索し、有効時期が現在と一致する目的地コンテンツを抽出する手段と、抽出された目的地コンテンツをディスプレイに表示させる手段とを備える。
【００１３】
この携帯情報端末は、掲載情報データを検索し、有効時期が現在と一致する目的地コンテンツを抽出し、ディスプレイに表示させる。したがって、時間の経過に伴ってディスプレイに表示される目的地コンテンツが変化する。その結果、携帯情報端末を利用して旅行者を案内することができる。しかも、メモリに格納されている掲載情報データには有効時期付きの目的地コンテンツが複数含まれているので、携帯情報端末は外部と通信することなく表示内容を変化させることができる。
【００１４】
好ましくは、携帯情報端末はさらに、カメラと、ディスプレイに表示された目的地コンテンツを選択する手段と、目的地コンテンツが選択された後、カメラを起動させる手段と、カメラで撮影された画像を送信する送信手段とを備える。
【００１５】
この場合、目的地コンテンツが選択されると、この選択動作に起因してカメラが起動し、旅行者に写真撮影が促される。これに応じて旅行者が写真撮影をすると、その画像は外部に送信される。その結果、携帯情報端末を利用して旅行者を監視することができる。
【００１６】
さらに好ましくは、掲載情報データはさらに、複数の目的地コンテンツに対応付けられ、設問を示す複数の設問コンテンツを含む。携帯情報端末はさらに、選択された目的地コンテンツに対応付けられた設問コンテンツをディスプレイに表示させる手段と、ディスプレイに設問コンテンツが表示された後、入力操作に応じて回答データを生成する手段とを備える。送信手段は生成された回答データを画像とともに送信する。
【００１７】
この場合、目的地コンテンツが選択されると、この選択動作に起因してディスプレイに設問コンテンツが表示され、旅行者にその設問に対する回答の入力が促される。これに応じて旅行者が回答を入力すると、回答データが生成され、カメラで撮影された画像とともに外部に送信される。上記設問として、実際に目的地に行かないと答えられない問題を設定すれば、より確実に旅行者を監視することができる。
【００１８】
さらに好ましくは、掲載情報データはさらに、複数の目的地コンテンツに対応付けられ、各々が第１又は第２の状態を取り得る複数の状態情報を含む。携帯情報端末はさらに、送信手段により画像が送信された後、状態情報を第１の状態から第２の状態に切り替える手段を備える。
【００１９】
この場合、カメラで撮影された画像が送信されると、状態情報が第１の状態から第２の状態に切り替えられる。したがって、旅行者が目的地に行って写真撮影をした事実を記録に残すことができる。
【００２０】
なお、ここでいう携帯情報端末には、携帯電話機、ＰＨＳ(Personal Handy-phone System)、ＰＤＡ(Personal Digital Assistant)等が含まれる。
【発明を実施するための最良の形態】
【００２１】
以下、図面を参照し、本発明の実施の形態を詳しく説明する。図中同一又は相当部分には同一符号を付してその説明は繰り返さない。
【００２２】
まず図１を参照して、本実施の形態による旅行管理システムの概要を説明する。ここでは、修学旅行を例に説明する。
【００２３】
生徒は数人のグループに分けられ、各グループに１つずつカメラ付き携帯電話機１が貸与される。携帯電話機１のディスプレイには、各グループの旅行スケジュールに従って複数の目的地の名称が表示される。生徒はグループ単位でそれらの目的地を順番に訪問する。
【００２４】
生徒が目的地に到着し、携帯電話機１に表示された目的地の名称をクリックすると、設問や指示が表示される。生徒はその指示に従い、目的地を背景に携帯電話機１のカメラで写真撮影をする。そして、生徒はその設問に対する回答２を携帯電話機１に入力し、撮影した写真３を添付して電子メールでサーバ４に送信する。
【００２５】
サーバ４に送信された電子メールは、メーリングリストで先生及び父兄の携帯電話機５及び６にそれぞれ転送される。先生及び父兄はこの電子メールを見ることで、生徒が目的地に到着した時刻及び証拠写真３を確認することができる。図１では、電子メールに記載された添付写真用ＵＲＬ（Uniform Resource Locator）をクリックすると、携帯電話機５，６がサーバ４にアクセスし、生徒が撮影した写真３を見ることができるようにしているが、電子メールと一緒に写真３も転送するようにしてもよい。
【００２６】
次に図２を参照して、旅行管理システムのハードウェア構成を説明する。
【００２７】
旅行管理システムは、サーバ４と、サーバ４に接続可能な生徒用の携帯電話機１と、先生及び父兄用の携帯電話機５，６とを備える。
【００２８】
サーバ４は、旅行管理プログラム４１と、掲載情報データ４２とを記憶するデータベース４３を備える。旅行管理プログラム４１は、携帯電話機１にダウンロード可能な状態でサーバ４にアップロードされている。サーバ４はさらに、ＣＰＵ（図示せず）と、掲載情報データ４２をデータベース４３に登録するためのプログラム（図示せず）とを備える。
【００２９】
生徒用の携帯電話機１は、ディスプレイ１１と、ＣＰＵ（中央演算処理装置）１２と、ＥＰＲＯＭ(Electrically Programmable Read Only Memory)等の不揮発性半導体メモリ１３と、カメラ１４とを備える。メモリ１３は、旅行管理プログラム１５と、掲載情報データ１６とを記憶する。これらはサーバ４からダウンロードされる。旅行管理プログラム１５は、サーバ４からダウンロードした掲載情報データ１６に基づき、ディスプレイ１１上に表示した目的地等を変化させる。先生及び父兄用の携帯電話機５，６も同様に、ディスプレイ１１と、ＣＰＵ１２と、メモリ１３とを備える。
【００３０】
携帯電話機１にダウンロードされた掲載情報データ１６の一例を図３に示す。図３を参照して、掲載情報データ１６は、複数のレコード１６１〜１７２を含む。レコード１６１〜１７２の各々は、有効時期と、掲載内容（コンテンツ）と、表示状態情報とを含む。
【００３１】
有効時期は、対応する掲載内容が有効な日時を示し、具体的には有効期間と有効時間とを含む。有効期間の欄には対応する掲載内容が有効な期間（日にち）が記録される。有効時間の欄には対応する掲載内容が有効な時間が記録される。
【００３２】
掲載内容は、第１のタイトルと、第２のタイトルと、説明とを含む。第１のタイトルの欄には目的地の名称（目的地コンテンツ）が記録される。第２のタイトルの欄には「遅延」の文字が記録される。説明の欄には設問（設問コンテンツ）や指示が記録される。
【００３３】
表示状態情報は、ＹＥＳ又はＮＯの状態を取り得る。掲載情報データ１６をサーバ４から携帯電話機１にダウンロードした直後には、表示状態情報は全てＹＥＳの状態にある。
【００３４】
図３に例示された掲載情報データ１６は、１０月１日から１０月２日までの２日間のスケジュール情報を有する。たとえばレコード１６１の掲載内容は、１０月１日０時〜１０時の時間以内で有効である。レコード１６２の掲載内容は、１０月１日０時〜１０時の時間以外、つまり１０時１分〜２３時５９分の時間以内で有効である。
【００３５】
携帯電話機１にダウンロードされた旅行管理プログラム１５を図４及び図５（携帯電話機１側）に示す。以下、図４及び図５を参照して旅行管理システムの動作を説明する。
【００３６】
携帯電話機１は生徒に貸与される前に、旅行管理プログラム４１をサーバ４からダウンロードしてメモリ１３に格納し（Ｓ４０１，Ｓ１０１）、さらに掲載情報データ４２をサーバ４からダウンロードしてメモリ１３に格納する（Ｓ４０２，Ｓ１０２）。
【００３７】
携帯電話機１は生徒に貸与された後、生徒の操作に応じて旅行管理プログラム１５を起動する（Ｓ１０３）。携帯電話機１は掲載情報データ１６を検索し、全てのレコード１６１〜１７２を順番に読み出す（Ｓ１０４，Ｓ１０５）。
【００３８】
携帯電話機１は、各レコードの表示状態情報がＹＥＳかＮＯかを判別する（Ｓ１０６）。表示状態情報がＮＯの場合、携帯電話機１は当該レコードの掲載内容を表示対象から除外し、次のレコードを読み出すためにステップＳ１０４に戻る。
【００３９】
一方、表示状態情報がＹＥＳの場合、携帯電話機１は当該レコードの掲載内容を表示対象とし、有効時期が現在と一致するタイトルを抽出する（Ｓ１０７〜Ｓ１０９）。すなわち、携帯電話機１は内部時計（図示せず）を参照し、本日が当該レコードの有効期間内に含まれているか否かを判断する（Ｓ１０７）。本日が有効期間内に含まれていない場合、携帯電話機１は次のレコードを読み出すためにステップＳ１０４に戻る。
【００４０】
本日が有効期間内に含まれている場合、携帯電話機１は当該レコードに有効時間が設定されているか否かを判断する（Ｓ１０８）。有効時間が設定されている場合はステップＳ１０９に進むが、設定されていない場合はステップＳ１０９を飛ばしてステップＳ１１０に進む。
【００４１】
有効時間が設定されている場合、携帯電話機１は現在の時刻が当該レコードの有効時間内に含まれているか否かを判断する（Ｓ１０９）。現在の時刻が有効時間内に含まれている場合はステップＳ１１０に進むが、含まれていない場合は次のレコードを読み出すためにステップＳ１０４に戻る。
【００４２】
有効時間が設定されていない場合又は現在の時刻が有効時間内に含まれている場合、携帯電話機１は当該レコードに第２のタイトルが設定されているか否かを判断する（Ｓ１１０）。第２のタイトルが設定されていない場合、携帯電話機１は当該レコードの第１のタイトルをディスプレイ１１に表示させる（Ｓ１１１）。一方、第２のタイトルが設定されている場合、携帯電話機１は当該レコードの第１及び第２のタイトルをディスプレイ１１に表示させる（Ｓ１１２）。
【００４３】
たとえば図６に示した旅行スケジュールに従って生徒が複数の目的地を順番に訪問する場合において、現在の日時が１０月１日の午前９時のとき、携帯電話機１はレコード１６１，１６３，１６５を抽出し、各レコードの掲載内容に基づいて画面１１１を表示する。具体的には、レコード１６１，１６３，１６５の第１のタイトル「Ａ寺」、「Ｂ史跡」及び「Ｃ博物館」が表示される。
【００４４】
携帯電話機１は１０月１日の午前１０時までこの画面１１１を表示し続けるが、現在の日時が１０月１日の午前１０時を過ぎると、携帯電話機１はレコード１６２を抽出し、その掲載内容に基づいて画面１１２を表示する。具体的には、レコード１６２の第１及び第２のタイトル「Ａ寺」及び「遅延」が表示される。
【００４５】
携帯電話機１は、画面１１１又は１１２を表示した状態で生徒のキー操作を待つ（Ｓ１１３）。携帯電話機１は、キー操作に応じて、ディスプレイ１１に表示された複数の目的地の名称の中から１つを選択する（Ｓ１１４）。携帯電話機１は、選択された目的地の名称に関連付けられた詳細な画面１１３をディスプレイ１１に表示させ（Ｓ１１５）、生徒のキー入力を待つ（Ｓ１１６）。たとえば「Ａ寺」が選択された場合、携帯電話機１はレコード１６１の説明を表示する。図６に示した画面１１３では、「Ａ寺」に関する設問と生徒に対する指示とが表示される。
【００４６】
画面１１３左下の「撮影」がクリックされると、携帯電話機１はカメラ１４を起動させる（Ｓ１１７）。携帯電話機１は、生徒の操作に応じて、カメラ１４で目的地を背景に写真を撮影する（Ｓ１１８）。
【００４７】
撮影終了後、携帯電話機１は撮影された写真及び入力画面１１４をディスプレイ１１に表示させ、キー入力を待つ（Ｓ１１９）。設問に対する回答が入力されると、携帯電話機１はその入力操作に応じて回答データを生成する（Ｓ１２０）。
【００４８】
画面１１４右下の「送信」がクリックされると、携帯電話機１は、撮影された写真の画像を添付し、生成された回答データを電子メールでサーバ４に送信する（Ｓ１２１）。
【００４９】
送信終了後、携帯電話機１は表示状態情報をＹＥＳからＮＯに切り替え、上記ステップＳ１０４に戻る。
【００５０】
表示状態情報がＮＯになったレコードは上記ステップＳ１０６で表示対象から除外されるので、当該レコードのタイトルはいずれも表示されない。たとえば生徒が「Ａ寺」を訪問し、写真及び回答を送信し終えると、携帯電話機１は図６に示した画面１１５を表示する。すなわち、「Ａ寺」の表示は消え、「Ｂ史跡」及び「Ｃ博物館」の表示のみが残る。
【００５１】
一方、サーバ４は、携帯電話機１から送信された写真の画像及び回答データを受信する（Ｓ４０３）。サーバ４はさらに、第１のタイトル（目的地の名称）、回答、写真添付用ＵＲＬ等を含む電子メールを先生用メーリングリストに従って先生の携帯電話機５に送信するとともに、父兄メーリングリストに従って父兄の携帯電話機６に送信する（Ｓ４０４）。先生及び父兄の携帯電話機５，６は、その送信された電子メールを受信する（Ｓ５０１）。
【００５２】
以上のように本実施の形態によれば、携帯電話機１が掲載情報データ１６を検索し、有効時期が現在と一致する目的地コンテンツを抽出し、ディスプレイ１１に表示させるため、時間の経過に伴ってディスプレイ１１に表示される目的地の名称が変化する。その結果、携帯電話機１を利用して生徒を案内することができる。しかも、１回にダウンロードされる掲載情報データ１６には有効時期が互いに異なる複数のレコード１６１〜１７２が含まれるので、携帯電話機１はサーバ４と通信することなく表示内容を変化させることができる。その結果、通信費用の発生を抑えることができる。
【００５３】
予定時刻を過ぎても生徒が目的地に到着しない場合、目的地の名称の横に「遅延」と表示されるため、生徒にスケジュール通りの行動を促すことができる。
【００５４】
生徒が目的地に到着し、目的地の名称をクリックすると、実際に目的地に行かないと答えられない設問及び写真撮影の指示がディスプレイ１１に表示される。これに応じて生徒が画面１１３左下の「撮影」をクリックすると、カメラ１４が起動され、生徒に写真撮影が強要される。これに応じて生徒が写真撮影をし、かつ設問に対する回答を入力すると、回答データが生成され、カメラで撮影された画像とともに電子メールでサーバ４に送信され、さらに先生及び父兄の携帯電話機５，６に転送される。したがって、先生及び父兄はその画像及び回答を見ることで、生徒を監視し、生徒の安全を確認することができる。
【００５５】
カメラで撮影された画像が送信されると、表示状態情報がＹＥＳからＮＯに切り替えられ、それに対応する目的地の名称は表示されなくなるので、生徒が目的地に行って写真撮影をした事実を記録に残すことができる。
【００５６】
以上の結果、先生の監視負担を大幅に軽減し、かつ事故を未然に防止することができる。また、学校や家族に監視されているということを生徒に意識させず、しかも撮った写真は修学旅行の思い出として保存することができる。
【００５７】
上記実施の形態は携帯電話機を用いているが、これに代えて、ＰＨＳ、ＰＤＡ等を用いてもよい。また、上記実施の形態は掲載情報データをサーバからダウンロードして携帯電話機のメモリに格納しているが、これに代えて、周知のデータ書込装置を用いて掲載情報データを携帯電話機のメモリに書き込んだり、あるいは掲載情報データを格納したメモリカード等を携帯電話機に装着するようにしてもよい。
【００５８】
上記実施の形態は、写真等の送信を終えると、表示状態情報をＮＯにして既に訪問した目的地を表示しないようにしているが、目的地の表示を維持し、その横に撮影した写真を表示するようにしてもよい。
【００５９】
上記実施の形態では、掲載情報データの有効時間が「以内」又は「以外」に設定されているが、これらを全て「以内」に設定することも可能である。この場合、たとえばレコード１６２の有効時間は「１０：０１〜２３：５９」に設定すればよい。常に全てを「以内」に設定するのであれば、「以内」又は「以外」の情報はなくてもよい。
【００６０】
また、レコード１６２，１６４，１６６，１６８，１７０，１７２をなくし、「遅延」をレコード１６１，１６３，１６５，１６７，１６９，１７１の第２のタイトルの欄に記録しておき、現在の時刻が有効時間以内であれば第１のタイトル（目的地の名称）のみを表示し、現在の時刻が有効時間以外であれば第１及び第２のタイトル（目的地の名称及び「遅延」）を表示するようにすることも可能である。
【００６１】
その他、本発明は、修学旅行に限らず、一般の旅行にも適用可能である。
【００６２】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【００６３】
本発明による旅行管理システムは、特に修学旅行の生徒を案内・監視するサービスに利用可能である。
【図面の簡単な説明】
【００６４】
【図１】本発明の実施の形態による旅行管理システムの概要を示す図である。
【図２】図１に示した旅行管理システムのハードウェア構成を示す機能ブロック図である。
【図３】図２中の携帯電話機にダウンロードされた掲載情報データの構成を示す図である。
【図４】図２に示した旅行管理システムの動作を示すフロー図である。
【図５】図４に続くフロー図である。
【図６】図４及び図５に示した動作中に携帯電話機に表示される画面を示す図である。
【符号の説明】
【００６５】
１，５，６  携帯電話機
２  回答
３  写真
４  サーバ
１１  ディスプレイ
１２  ＣＰＵ
１３  メモリ
１４  カメラ
１５，４１  旅行管理プログラム
１６，４２  掲載情報データ
【図１】
2005309554.tif 000003
【図２】
2005309554.tif 000004
【図３】
2005309554.tif 000005
【図４】
2005309554.tif 000006
【図５】
2005309554.tif 000007
【図６】
2005309554.tif 000008